(57)【要約】 【課題】早いスキャンスピード及び小型軽量な構成を損なうことなく、角度多重記録方式によるホログラムの記録時に、参照光の入射角度が変化してもこの参照光がホログラム記録材料を照射する面積を機械的な摩耗を伴わずに常に一定にすること。【解決手段】回折格子１１１とホログラム記録材料１４をレンズ１２、１３から成るテレセントリック光学系を介して互いに結像関係にあるように配置すれば、回折格子１１１により参照光２００の入射角度を変化させてホログラム記録材料１４への入射角度を変化させても、回折格子１１１とホログラム記録材料１４が結像関係にあるため、参照光２００が照射するホログラム記録材料１４の照射面積を一定にすることができる。しかも、この効果を早いスキャンスピード及び小型軽量な構成を損なうことなく、且つ機械的な摩耗を伴わずに実現できる。【選択図】図１
2006078942.tif 000002
【特許請求の範囲】
【請求項１】
信号光と参照光の干渉縞をホログラム記録媒体に記録する角度多重型のホログラム記録装置であって、
参照光角度を変化させる回折光学素子と、
前記ホログラム記録媒体と前記回折光学素子を結像関係とするテレセントリック光学系と、
を具備することを特徴とするホログラム記録装置。
【請求項２】
前記回折光学素子は回折格子であり、この回折格子間隔は偏向角度に対して連続的に変化する回折格子間隔を有することを請求項１記載の特徴とするホログラム記録装置。
【請求項３】
前記回折光学素子は回折格子であり、この回折格子間隔は偏向角度に対して離散的に変化する回折格子間隔を有することを請求項１記載の特徴とするホログラム記録装置。
【請求項４】
前記回折光学素子は回折格子であり、この回折格子間隔は偏向角度を分割した分割角度に対して離散的に変化する回折格子間隔を有し、且つ同一の分割角度内の回折格子間隔が若干変化することを特徴とする請求項１記載のホログラム記録装置。
【請求項５】
前記回折光学素子は、偏向角度毎に回折効率が異なることを特徴とする請求項１記載のホログラム記録装置。
【請求項６】
前記参照光が進行する参照光光学系は、参照光ビーム径を制限する光学系を備えることを特徴とする請求項１記載のホログラム記録装置。
【請求項７】
前記参照光のビーム径を制限する光学系は、参照光ビームを絞るスリットを有することを特徴とする請求項６記載のホログラム記録装置。
【請求項８】
前記スリットは回折光学素子にテレセントリック光学系を介して近接して配置されることを特徴とする請求項７記載のホログラム記録装置。
【請求項９】
前記スリットは回折光学素子に近接して配置されることを特徴とする請求項７記載のホログラム記録装置。
【請求項１０】
前記参照光光学系は、参照光角度の微調整を行う光学部品を具備することを特徴とする請求項１記載のホログラム記録装置。
【請求項１１】
前記参照光角度の微調整を行う光学部品は前記参照光の進路を変更するスキャンミラーで、このスキャンミラーを前記回折光学素子の光源側の前記参照光光学系に配置することを特徴とする請求項１記載のホログラム記録装置。
【請求項１２】
前記回折光学素子にマスクを近接配置することを特徴とする請求項１１記載のホログラム記録装置。
【請求項１３】
前記回折光学素子にマスクをテレセントリック光学系を介して近接配置することを特徴とする請求項１１記載のホログラム記録装置。
【請求項１４】
前記回折光学素子にスキャンミラーをテレセントリック光学系を介して配置することを特徴とする請求項１１、１２、１３いずれか１記載のホログラム記録装置。
【発明の詳細な説明】
【技術分野】
【０００１】
本発明は、角度多重方式でホログラムをホログラム記録媒体に多重記録するホログラム記録装置に関する。
【背景技術】
【０００２】
近年、ホログラム技術を利用して大容量データの記録再生を行うホログラム記録再生装置が提案されている（例えば、非特許文献１参照）。このホログラム記録再生装置では、記録密度向上のために多重記録と言う手法が用いられる。これは従来の記録と異なり、１箇所に多数の独立なページを記録するというものである。このような多重記録方式の代表的なものとしては、角度多重記録、シフト多重記録、位相コ−ド多重記録などであるが、その他スペックル多重など各種の方式が知られている。
【０００３】
図１３は角度多重方式でホログラムをホログラム記録材料（ホログラム記録媒体）に記録する場合を説明する図である。レーザ光源（図示せず）から出射されたレーザ光から信号光と参照光が分岐され、空間変調器（図示せず）で空間変調された信号光１００が信号光光学系（図示せず）を通してホログラム記録材料１０に集光される。一方、参照光２００は参照光光学系（図示せず）を通してスキャンミラー１に入射され、このスキャンミラー１により反射されて参照光光学系のレンズ２に入射される。レンズ２、３は４ｆ光学系を構成し、参照光２００はレンズ３によりホログラム記録材料１０を照射し、信号光１００と参照光２００の干渉により発生する干渉縞がホログラム記録材料１０に記録される。ここで、スキャンミラー１の角度を変化させると、その角度変化に応じて参照光２００のホログラム記録材料１０への入射角度だけが変化され、この入射角度毎に異なったホログラムがホログラム記録材料１０の同一記録領域に多重記録される。
【０００４】
図１４は上記した参照光２００の入射角度の変化により参照光２００がホログラム記録材料１０を照射する面積が変化することを説明する図である。参照光２００のホログラム記録材料１０への入射角度（メディア法線基準）が異なっても、そのビームの太さは一定なので、入射角度Ａの場合と入射角度Ｂの場合では図から明らかなように入射角度Ｂの場合の照射面積の方が大きくなる。
【０００５】
図１５は上記した参照光２００の入射角度の変化に対して照射面積が変化する様子を示した図である。参照光２００のビーム径がφ１であった場合、図１５（Ａ）、（Ｂ）、（Ｃ）に示すように、スキャンミラー１の角度が変化して参照光２００の入射角度が大きくなればなるほど、参照光２００のホログラム記録材料１０の照射部分の径がφ１、φ２、φ３の順番に大きくなる。
【非特許文献１】IBM J.RES DEVELOP VOL 44 NO.3 MAY 2000  「Holographic data storage」
【発明の開示】
【発明が解決しようとする課題】
【０００６】
上記のように角度多重記録方式において、参照光２００のホログラム記録材料１０に対する入射角度が変化した時、信号光１００の方は、参照光２００の入射角度の変化に拘らず、一定の入射角度でホログラム記録材料１０の同一面積部分を照射する。したがって、参照光２００の照射面積が増えるほど、信号光１００の照射範囲を含んで参照光２００がホログラム記録材料１０を照射する範囲が広がることを意味している。しかしながら本来は、参照光２００はホログラム記録材料１０内で信号光１００の照射範囲を必要最小限カバーする範囲で照射することが望ましい。なぜなら、参照光２００の不必要な部分の照射はホログラム記録材料１０をそれだけ余計に感光させてしまい、そのダイナミックレンジの浪費となり、ひいては記録容量の低下に繋がるからである。
【０００７】
そこで、参照光２００の入射角度の変化に拘らず、参照光２００がホログラム記録材料１０を照射する範囲を常に一定とすることが考えられるが、例えば、参照光２００の角度変化に対応してスリットサイズを機械的に変化させる機構や２個直列につないだ４ｆ投影光学系を参照光光学系に挿入する方法が考えられるが、前者の方法では、スキャンスピードが早くなった時には非現実的であると共に、このような機械的な機構は磨耗などにより寿命が短いという不都合がある。また、後者の方法では、２個直列につないだ４ｆ投影光学系は光学部品点数が多くスペースを取るので参照光光学系ひいてはピックアップの小型化及び軽量化において不利である。
【０００８】
本発明は前記事情に鑑み案出されたものであって、本発明の目的は、早いスキャンスピード及び小型軽量な構成を損なうことなく、角度多重記録方式によるホログラムの記録時に、参照光の入射角度が変化してもこの参照光がホログラム記録材料を照射する面積を機械的な摩耗を伴わずに常に一定にすることができるホログラム記録装置を提供することにある。
【課題を解決するための手段】
【０００９】
本発明は上記目的を達成するため、信号光と参照光の干渉縞をホログラム記録媒体に記録する角度多重型のホログラム記録装置であって、参照光角度を変化させる回折光学素子と、前記ホログラム記録媒体と前記回折光学素子を結像関係とするテレセントリック光学系とを具備することを特徴とする。
【００１０】
このように本発明では、回折光学素子として例えば回折格子を用い、この回折格子とホログラム記録媒体をテレセントリック光学系（例えば４ｆ光学系）を介して互いに結像関係にあるように配置すれば、回折格子により参照光の偏向角度を変化させてホログラム記録媒体への入射角度を変化させても、回折光学素子とホログラム記録媒体が結像関係にあるため、参照光のホログラム記録媒体への照射面積は変わらないようにすることができる。しかも、この効果を１組のテレセントリック光学系を用いるだけで実現でき、また、機械的な摩耗などを伴わず実現できるため、早いスキャンスピードに対応でき、且つ参照光光学系を小型軽量にすることができる。
【発明の効果】
【００１１】
本発明によれば、参照光角度を変化させる回折光学素子とホログラム記録媒体をテレセントリック光学系を介して互いに結像関係にあるように配置することにより、早いスキャンスピード及び小型軽量な構成を損なうことなく、角度多重記録方式によるホログラムの記録時に、参照光の入射角度が変化してもこの参照光がホログラム記録材料を照射する面積を機械的な摩耗を伴わずに常に一定にすることができる。
また、回折光学素子の回折効率を偏向角毎に変化させることにより信号光と参照光の強度比を常に一定にすることができる。
【発明を実施するための最良の形態】
【００１２】
角度多重記録方式によるホログラムの記録時に、参照光の入射角度が変化してもこの参照光がホログラム記録材料を照射する面積を、機械的な摩耗などなく且つ早いスキャンスピードに対応し且つ小型軽量な構成により、常に一定にする目的を、参照光角度を変化させる回折光学素子とホログラム記録媒体をテレセントリック光学系を介して互いに結像関係にあるように配置することによって実現した。
【実施例１】
【００１３】
図１（Ａ）〜図１（Ｃ）は、本発明の第１の実施の形態に係るホログラム記録装置の参照光光学系の構成を示したブロック図である。角度多重方式のホログラム記録装置の参照光光学系は、回折光学素子（ホログラムスキャナ）１１、レンズ１２、レンズ１３、ホログラム記録材料１４を有し、回折光学素子１１は角度偏向デバイスとして機能し、参照光２００のホログラム記録材料１４への入射角度を変更する。また、レンズ１２、１３はテレセントリックな結像光学系である４ｆ光学系であり、回折格子１１１とホログラム記録材料１４は互いに結像関係になるように配置されている。
【００１４】
図２は図１に示した回折光学素子の詳細構成例を示した図である。この図は回折光学素子１１として最も簡単な例である回折格子１１１を用いた例である。入射光は回折格子１１１によって回折が起こり、角度が偏向される。
【００１５】
この回折格子１１１は、図３（Ａ）に示すように、円板状の基板１１２の回転に従って、連続的に回折格子間隔が変化し、その結果として連続的に光の偏向角が変化するようになっている。即ち、円板状の基板１１２にピッチの異なる回折格子を組み込み、矢印のように回転させると入射ビームをスキャンさせることが出来る。図３（Ｂ）は図３（Ａ）に示した回折格子１１１のスキャナ角度（基板１１２の回転角度）と偏向角との関係を示しており、スキャナ角度の増加に伴い偏向角が連続的且つリニアに増加している。
【００１６】
次に本実施の形態の動作について説明する。図１（Ａ）にて、参照光２００は回折格子１１１に入射され、その時の回折格子１１１のスキャナ角度ａに応じて参照光２００は偏向されてレンズ１２に入射され、更にレンズ１３によりホログラム記録材料１４上に前記スキャナ角度ａに応じた角度で入射される。同様に、参照光２００は図１（Ｂ）に示すように、回折格子１１１のスキャナ角度ｂに応じて参照光２００は偏向されてレンズ１２に入射され、レンズ１３によりホログラム記録材料１４上に前記スキャナ角度ｂに応じた角度で入射される。同様に、参照光２００は図１（Ｃ）に示すように、回折格子１１１のスキャナ角度ｃに応じて参照光２００は偏向されて、レンズ１２に入射され、レンズ１３によりホログラム記録材料１４上に前記スキャナ角度ｃに応じた角度で入射される。
【００１７】
回折格子１１１を出射する参照光２００は図４に示すようなテレセントリックな結像光学系によりホログラム記録材料１４に結像するため、そのホログラム記録材料１４の入射面積（参照光のスポットサイズ）は前記参照光の範囲と同一になる。前記参照光の範囲は回折格子１１１のスキャナ角度に依らず一定であるため、この参照光２００の照射範囲がホログラム記録材料１４上に結像した参照光２００のホログラム記録材料１４上の照射範囲も回折格子１１１のスキャナ角度、即ち参照光２００のホログラム記録材料１４への入射角度に依らず一定となる。
【００１８】
ここで、回折格子１１１として図２に示すような連続変化型のビームスキャンを用いた場合、ビームがある角度でいる時間はきわめて短くなる。その結果、一つの角度多重されたホログラムページが再生される時間は極めて短くなる。ホログラムの１ページの再生時間が短いと、再生レーザのパワーが弱い、若しくは記録されたホログラムデータの回折効率が低い場合、イメージセンサで受光する光強度が弱くなり、Ｓ／Ｎ比が悪化し、場合によっては再生不能になる。このような問題は、データ転送レートを向上させるために、ビームスキャン速度を上げていくと、更に顕著になる。
【００１９】
図５は上記のような回折格子１１１を使用した場合に生じる不具合を回避するための回折格子１２１の構成を説明する図である。この回折格子１２１は図５（Ａ）に示すように回折格子間隔が連続的に変化するのでなく、分割角度α毎、不連続且つ段階的に変化する構成を有している。即ち、分割角度αの間は回折格子間隔が一定であるが、分割角度毎に回折格子間隔が所定の割合で変化するように構成されている。したがって、この回折格子１２１を用いると、図５（Ｂ）に示すように、スキャナ角度がある分割角度範囲にある期間は一定の偏向角で、次の分割角度に入った時に偏向角が階段状に変化する動作を繰り返すことになる。結局、図５（Ｂ）に示すように、スキャナ角度の変化に対して偏向角が離散的に変化する関係を得ることができる。この場合、参照光２００の入射角度がある角度でいる時間が長くなって、ホログラムの再生時間が長くなるので、Ｓ／Ｎ良好な再生画像を得ることができ、そのため、データ転送レートを高くすることができる。
【００２０】
本実施の形態によれば、角度多重方式のビームスキャンデバイスとしてよく用いられるガルバノミラーの代わりに回折光学素子１１（この例では回折格子１２１）を用いて、図５で示したような不連続な参照光の入射角度変化を容易に実現でき、ホログラムデータの回折効率が低い場合やイメージセンサで受光する光強度が弱い場合、更にデータ転送レートを高くした場合も、Ｓ／Ｎの良い再生画像を得ることができる。
【００２１】
また、レンズ１２、１３から成る４ｆ光学系を用いて回折格子１２１とホログラム記録材料１４が互いに結像関係になるように配置することにより、参照光２００のホログラム記録材料１４への入射角度の変化に拘らず、そのホログラム記録材料１４上の照射面積を一定にすることができ、露光部分を必要最小限としてホログラム記録材料１４のダイナミックレンジの低下を防止することができる。しかも、一組の４ｆ光学系により参照光２００のホログラム記録材料１４上の照射面積を一定にしているため、光学系を小型軽量にすることができると共に、機械的な摩耗部分を持たないため、耐久性等に優れている。
【００２２】
また、図５に示したように偏向角を階段状に変化させるものは図４に示した構成の回折格子１１１を用いても実現出来る。その場合は、回折格子の基板１１２を連続的に回転させるのではなく、階段状に回転させれば良いが、回転制御に難がある。
【００２３】
なお、図５に示した偏向角が不連続に変化するタイプでは、各分割角度に割り当てられている回折格子間隔が一定のため、この回折格子間隔に対応した参照光２００のホログラム記録材料１４への入射角度にずれがあると、その分再生画像が暗くなってしまう。そこで、分割角度に割り当てられた回折格子間隔が若干変化するように設定するようにしておけば、この分割角度の範囲においても参照光２００の最適な入射角度に温度変化などで若干のずれがあっても、明るい再生画像を得ることができるようにすることができる。図６はこのタイプの回折格子を用いた場合のスキャナ角度の変化に対する偏向角の変化を示した図であり、各分割角度範囲ごとに段階的に回折格子間隔が変化すると共に、分割角度範囲では回折格子間隔が若干変化するようになっている。
【００２４】
ところで、角度多重方式において、信号光と参照光の光強度比を一定にしておくことは重要である。本実施の形態では、参照光２００のビーム面積の変化による光強度変化は少ないものの、依然、ホログラム記録材料の表面反射の参照光入射角度依存性などによる光強度比が変化するためその補正が行えることが望ましい。それには、回折格子１１１（又は１２１）の回折効率を偏向角ごとに変えればよい。但し、回折効率とは、図２に示す０次光と１次光の比であり、この比を変えることにより回折効率を変えることができる。この回折効率を変える既に周知の幾つかの方法がある。
【００２５】
例えば、回折格子１１１が位相型の場合、回折格子１１１の位相変化量を調整する方法がある。これには、例えば、回折格子を形成する凹凸部分の厚みを変更することにより回折効率を変えることができ、回折格子１１１の分割角度範囲毎に回折格子を形成する凹凸部分の厚みを信号光と参照光の光強度比が一定になるように変えればよい。
【００２６】
回折格子１１１が振幅型の場合、回折格子１１１の分割角度範囲毎に光の吸収率が異なるコーディングを行って光学濃度を変化させることにより回折効率を偏向角ごとに変化させて、信号光と参照光の光強度比が一定になるようにすることができる。更に、回折格子１１１を形成する回折格子の幅を調整して光の透過率を変化させることによっても回折効率を変化させることができ、これを用いて信号光と参照光の光強度比が一定になるようにすることもできる。
【００２７】
また、上記実施の形態では、例えば角度多重で１００多重する場合、回折格子１１１の回折格子間隔は１回転で１００多重を実現する参照光の偏向角が得られるように切ってある。しかし、半回転で１００多重を実現するように回折格子間隔を切っても良い。
【実施例２】
【００２８】
図７は、本発明の第２の実施の形態に係るホログラム記録装置の参照光光学系の構成を示したブロック図である。本実施の形態の参照光光学系は、光束を絞るマスク１６、レンズ１７、１８から成るテレセントリック光学系、回折格子１１１を有して構成され、回折格子１１１以降の構成は図１と同様のため、図示を省略した。
【００２９】
次に本実施の形態の動作について説明する。マスク１６と回折格子１１１はテレセントリック光学系を介して互いに結像関係になるように配置されている。これにより、マスク１６の開口部が回折格子１１１上に写るため、回折格子１１１上へ照射される参照光２００は前記開口部で限定された範囲の参照光になる。
【００３０】
例えば、回折格子１１１が図５に示すようなタイプてあった場合、（１）参照光２００が回折格子１１１を照射する範囲は少なくとも図８（簡単化のためレンズ１７、１８から成るテレセントリック光学系は省略してあり、図９の構成に準ずるものである）に示すような分割領域Ｎ内に入る大きさである必要がある。また、（２）分割領域Ｎの大きさに対する参照光２００の照射範囲は分割領域Ｎと分割領域Ｎ＋１との境界を走査する時間を出来るだけ短くし、参照光２００の偏向角が不定になる時間を極力短くしなければならない。また、（３）参照光２００がホログラム記録材料１４を照射する範囲は信号光の照射する範囲をカバーしなければならない。また、（４）参照光２００としてその強度が比較的強く平坦な部分を使用し、且つ必要な部分のみをホログラム記録材料に照射して、ホログラム記録材料１４が不必要に感光されることがないようにして、ホログラム記録材料１４のダイナミックレンジを確保しなければならない。したがって、参照光２００のビーム径はこれら４条件を満たす適切な大きさとなるように調整しなければならないが、本実施の形態では、上記調整をマスク１６の開口部の大きさを変化させることにより容易且つ正確に行うことができる。
【００３１】
なお、上記実施の形態よりも更に簡単な構成として、図９に示すように、テレセントリック光学系を省略して、回折格子１１１に近接してマスク１６を配置しても、同様の効果がある。
【実施例３】
【００３２】
図１０は、本発明の第３の実施の形態に係るホログラム記録装置の参照光光学系の構成を示したブロック図である。角度多重方式のホログラム記録装置の参照光光学系は、角度微調整ミラー２０、レンズ２１、２２から成るテレセントリック光学系、マスク１６、レンズ１７、１８から成るテレセントリック光学系、回折格子１２１を有しており、回折格子１２１以降の構成は図１のそれと同様である。
【００３３】
次に本実施の形態の動作について説明する。角度微調整ミラー２０とマスク１６はレンズ２１、２２から成るテレセントリック光学系を介して互いに結像関係になるように配置されている。角度微調整ミラー２０により参照光２００の進路が変更されてレンズ２２に入力される。角度微調整ミラー２０の角度を変化させると、前記参照光２００の進路が前記変化角度分変更されてレンズ２１、２２からなるテレセントリック光学系に入力され、マスク１６に照射される。しかし、角度微調整ミラー２０とマスク１６は結像関係にあるため、角度微調整ミラー２０の角度変化により、マスク１６により絞られて出射する参照光２００の角度が同様に変化して、レンズ１７、１８からなるテレセントリック光学系に
入射される。マスク１６と回折格子１２１は結像関係にあるため、マスク１６の出射光の角度変化に応じた角度で参照光２００が回折格子１２１に入射されて変更される。これにより、角度微調整ミラー２０を微妙に調整することにより、参照光２００のホログラム記録材料への入射角度を微妙に変化させることができる。
【００３４】
本実施の形態によれば、図５に示した偏向を階段的に行う回折格子１２１を用いた場合、光学部品の部品の配置ずれや温度変化などに因るホログラム記録材料の収縮で参照光２００のホログラム記録材料への最適な入射角度がずれた場合に、再生画像が暗くなってしまうが、角度微調整ミラー２０により参照光２００のホログラム記録材料への入射角度を微妙に調整して角度補正を行うことができ、常に品質のよい画像を再生することができる。
【実施例４】
【００３５】
図１１は、本発明の第４の実施の形態に係るホログラム記録装置の参照光光学系の構成を示したブロック図である。図１１（Ａ）は図９に示した構成からレンズ１７、１８から成るテレセントリック光学系を除いて、マスク１６を回折格子１２１に近接して配置した構成を有している。また、図１１（Ｂ）は図１１（Ａ）の構成からレンズ２１、２２から成るテレセントリック光学系を除いた構成を有している。このように構成を簡単化すれば光学部品が減ってピックアップを小型軽量にすることができるが、その反面、角度微調整ミラー２０を回転させた時に光軸が中央からずれてしまうことになる。しかし、角度微調整ミラー２０の調整角度がわずかであれば、図１１（Ｂ）に示したようなもっともシンプルな構成でも実用上差し支えない性能および効果が得られる。
【００３６】
尚、上記実施の形態では参照光２００のホログラム記録材料への入射角を微調整して最適な画像再生を実現したが、図１２に示すようにホログラム記録材料１４の配置角度を微調整して、相対的に参照光２００の前記入射角度を微調整しても同様の効果を得ることができる。
【００３７】
尚、本発明は上記実施の形態に限定されることなく、その要旨を逸脱しない範囲において、具体的な構成、機能、作用、効果において、他の種々の形態によっても実施することができる。例えば上記実施の形態では、ホログラムスキャナとして回折光学素子を用いたが、音響光学素子を用いても同様の効果がある。
【図面の簡単な説明】
【００３８】
【図１】本発明の第１の実施の形態に係るホログラム記録装置の参照光光学系の構成を示したブロック図である。
【図２】図１に示した回折光学素子として回折格子の動作を説明する図である。
【図３】図１に示した回折格子の構造例とスキャナ角度と偏向角との関係を示した図である。
【図４】図１に示した参照光光学系の動作を示したブロック図である。
【図５】図１に示した回折格子の他の構造例とスキャナ角度と偏向角との関係を示した図である。
【図６】図５に示した回折格子を使用した場合に生じる不具合を回避するための回折格子の構成を説明する図である。
【図７】本発明の第２の実施の形態に係るホログラム記録装置の参照光光学系の構成を示した図である。
【図８】図７に示したマスクにより回折格子を照射する参照光の照射範囲が限定する様子を説明する図である。
【図９】図７に示した第２の実施の形態に係る参照光光学系の他の実施例を示した図である。
【図１０】本発明の第３の実施の形態に係るホログラム記録装置の参照光光学系の構成を示したブロック図である。
【図１１】図９に示した第３の実施の形態に係る参照光光学系の他の実施例を示した図である。
【図１２】図９に示した第３の実施の形態に係る参照光光学系の更に他の実施例を示した図である。
【図１３】角度多重方式でホログラムをホログラム記録材料（ホログラム記録媒体）に記録する場合を説明する図である。
【図１４】参照光の入射角度の変化により参照光がホログラム記録材料を照射する面積が変化することを説明する図である。
【図１５】参照光の入射角度の変化に対して照射面積が変化する様子を示した図である。
【符号の説明】
【００３９】
１１……回折光学素子、１２、１３、１７、１８、２１、２２……レンズ、１４……ホログラム記録材料、１６……マスク、２０……角度微調整ミラー、１１１、１２１……回折格子、１１２……基板。
【図１】
2006078942.tif 000003
【図２】
2006078942.tif 000004
【図３】
2006078942.tif 000005
【図４】
2006078942.tif 000006
【図５】
2006078942.tif 000007
【図６】
2006078942.tif 000008
【図７】
2006078942.tif 000009
【図８】
2006078942.tif 000010
【図９】
2006078942.tif 000011
【図１０】
2006078942.tif 000012
【図１１】
2006078942.tif 000013
【図１２】
2006078942.tif 000014
【図１３】
2006078942.tif 000015
【図１４】
2006078942.tif 000016
【図１５】
2006078942.tif 000017